(57)【要約】【課題】容易かつ確実に使用・服用・差し換え済み対象物を目視で保管できる危険物形跡管理ホルダー及び回収システムの提供。【解決手段】台紙上に対象物よりやや大きめの粘着シート、厚みを有し該粘着シート周囲をカバーする枠台紙設け、処理情報記載欄を設ける。必要に応じ粘着シート上に対象物の形状・番号あるいは個別仕切りを印字する。さらに対象物が危険物であれば、透明フィルムをさらに台紙内側に設ける。該エビデンス形跡管理ホルダーは回収され、対象物と紙類に分別の上リサイクルされる。回収を確実に行うため、該エビデンス形跡管理ホルダーに通し番号をつけ、注文主と関連付けて記録する。回収残があれば注文主に通知する。回収を促す。回収されたホルダー番号は記録の消しこみを行う。【選択図】図９
2018187782.tif 000002
【特許請求の範囲】
【請求項１】
台紙上に粘着する対象物よりやや大きめの粘着シートを一列または多数列設け、さらに処理情報記載欄を設けたことを特徴とするエビデンスブレード形跡管理ホルダー。
【請求項２】
透明フィルムを該台紙間内側に設けたことを特徴とする請求項1記載のエビデンス形跡管理ホルダー。
【請求項３】
該粘着シートには接着防止カバーが設けられたことを特徴とする請求項1又は２記載のエビデンス形跡管理ホルダー。
【請求項４】
粘着シート上に対象物の形状を印字したことを特徴とする請求項1〜３に記載のエビデンス形跡管理ホルダー。
【請求項５】
請求項１−４記載のエビデンス形跡管理ホルダーに通し番号をつける工程、
該通し番号と注文者番号を関連つけて記録する工程、
回収時に前記記録と回収通し番号を照合して消しこむ工程、
回収ホルダーを対象物と紙類とに分別の上、リサイクルする工程を有するエビデンス形跡管理回収システム。
【請求項６】
請求項５記載のシステムにおいて、
注文者次回販売時に当該注文者において回収残があるかないかを記録と照合し確認する工程、
回収残がある場合には通し番号を販売先に通知する工程、
該販売先から回収予定日時を取得する工程、
をさらに有することを特徴とするエビデンス形跡管理システム。
【発明の詳細な説明】
【技術分野】
【０００１】
本発明は、使用・服用済みかどうかについて、あるいは危険性のある使用済み部材、例えばカッターナイフ  幅広カッターナイフ  差し替え調理用道具の安全な処理・管理の形跡を目的としたエビデンス形跡管理及び回収システムに関するものである。
【背景技術】
【０００２】
従来危険性のある道具については使用済みあるいは差し替え済みなどのエビデンスが残っていないと、差し替えた後の刃がどこに処理されたか目視で確認できない状況であった。例えば折刃つき道具は刃を折ることにより、次の新らしい刃面を使用可能とするものであり、カッターナイフ等であれば、1本のカッターナイフにおよそ１3枚の刃が設けられている。この刃を折る作業においては、刃が飛び散るあるいは小さい刃先の一部が商品に紛れ込んでしまう、あるいは工場などでの作業においては、商品の梱包に紛れ込んでしまう恐れが常にあった。そのため、専用の刃のホルダーや廃棄する刃の容器が設けられているのが現状である。
【０００３】
しかしそれらの容器を使用しても、実際に確実に現在使用した折刃全部が飛び散らずに捕捉されたかどうか目視において確認できるエビデンスにはならないのが欠点であった。
また折刃が商品に紛れ込んだ場合等に誰の使用した刃が紛れ込んだか追跡できないのも問題であった。
この問題点については、以下の特許文献に示すように折刃を収納するホルダーの発明等は多数見られるが、折刃安全処理のエビデンスノートに相当するものは存在しないのが現状である。 
さらに折刃の廃棄方法にも問題があり、多量の廃棄が発生する工場等では安全な廃棄方法が存在せず、新聞紙に包んで捨てる程度の対策しか取られておらず、廃棄後誤って触った人の手を切る事故の発生のおそれが常に存在するのが問題であった。
【０００４】
また差し替え刃にあっても同様で、調理場では差し替え刃が確実に差し替え済みという形跡が必要となるとともに、差し替え状態で刃先が少し欠けているような場合、その差し替え済みの刃を見るだけで欠けた部分の刃片が食品等にまぎれていないか、危険をいち早く察知できるものとなり、危険物の管理として重要な役割を果たす。
【０００５】
また薬の服用にあっても、いつどれだけ何を飲んだかということが、患者レベルでも医者レベルでも非常に重要となり、服用の形跡管理が必要となる。さらに薬のブリスターパック（PTP）は数錠ごとに切れるようになっているが、この切り口が鋭利で、誤飲による食道の損傷が問題となっているが、このような服用済み形跡管理は行われていなかった。
【先行技術文献】
【特許文献】
【０００６】
【特許文献１】特開２０１６−２０２５７６号公報
【発明の概要】
【発明が解決しようとする課題】
【０００７】
本発明はこれらの不都合に鑑みてなされたものであり、容易且つ確実に使用済み形跡を管理することができ、そのエビデンスの獲得を目指すものである。しかも廃棄における危険を回避できるリサイクルシステムをも提供することを課題とする。
【課題を解決するための手段】
【０００８】
上記課題を解決するために本発明は、種々の実験を繰り返すことにより、目視で使用済みの部材を管理することさらには、リサイクル可能なものはリサイクル管理も可能としている。またカッター刃においては、刃を折る動作により同時に折刃が粘着シートに貼り付き、そのことで折刃の保管も兼ねることができることに着目した。
【０００９】
さらに粘着シートとホルダー表紙の間には、透明フィルムを設けることで、使用済みにしようとする刃に直接指先を触れることなく、フィルムを介することで、より安全に折刃処理を行うことができるようにした。本発明の方法が危険物処理において、安全簡便で作業効率上最も優れていることに到達した。
【００１０】
本発明のエビデンス形跡管理ホルダーは台紙上に粘着する対象物よりやや大きめの粘着シートを一列または多数列設けさらに処理情報記載欄を設けたことを要旨とする。
【００１１】
本発明のエビデンス形跡管理ホルダーは透明フィルムを該台紙間内側に設けたことを要旨とする。
【００１２】
本発明のエビデンス形跡管理ホルダーは該粘着シートには接着防止カバーが設けられたことを要旨とする。
【００１３】
本発明のエビデンス形跡管理ホルダーは粘着シート上に対象物の形状を印字したことを要旨とする。
【００１４】
この台紙廃棄においては、回収により折刃の廃棄上の危険を確実に防止するとともに、刃や紙のリサイクルを行うことで、折刃が折刃のまま危険な状況で無防備に破棄されることがないようシステム化している。
本発明のエビデンス形跡管理ホルダー回収システムは該エビデンス形跡管理ホルダーに通し番号をつける工程、該通し番号と注文者番号を関連つけて記録する工程、
回収時に前記記録と回収通し番号を照合して消しこむ工程、回収ホルダーを対象物と紙類とに分別の上、リサイクルする工程を有することを要旨とする。
【００１５】
本発明のエビデンス形跡管理ホルダー回収システムはさらに上記システムにおいて、
注文者次回販売時に当該注文者において回収残があるかないかを記録と照合し確認する工程、回収残がある場合には通し番号を販売先に通知する工程、該販売先から回収予定日時を取得する工程をさらに有することを要旨とする。
【発明の効果】
【００１６】
本発明の使用・取り替え済みエビデンス形跡管理ホルダーは、上記のような構成としたことで、切り取りたい刃を粘着シートに押し当て、透明フィルムを介して刃を他方の手で押さえ、少し力を加えることで、折りたい刃に触れることなく、刃が折れると同時にダイレクトに粘着テープ上に折刃が接着するため、飛び散らず、保持された状態となる。しかもそれを並べ保持することですることで、1本のカッターブレードに存在する複数枚の折刃が確実に保持できることになる。
【００１７】
それは、折刃が確実にそこに存在することを証明でき、どこにいったかわからない状況を否定することができる。安全に折刃が処理されていることを目視でき形跡管理としてのエビデンスとなる。
さらに、台紙全体は半分に折りたたみ可能で、表面に&#21085;離紙を設けた強力な粘着シート及び枠台紙、ホルダー表紙と台紙間には透明フィルムを有している。さらにはホルダーによって折刃が固定・保持されているため、折刃の保管としても安全であり、何よりも目視で使用者各個人別の処理状況が明らかとなるので便利である。
【００１８】
使用済み廃棄においても、ホルダーごと回収され、販売時のホルダー番号がすべて回収されるまで販売先において管理されることで、一切回収されない折刃はなくなり、時間をおいて商品等から折刃や刃の欠けた先端等が発見された場合においても、折刃処理の形跡を辿ることができる。適切な廃棄エビデンスが示せれば、あらぬ疑いにも証明が可能となる。企業もこのような形跡管理を徹底しているシステムを使用していることで、企業としての危機管理についての対策をしっかり実施しているイメージを高めることができる。さらにホルダーに管理者、使用者の印等も必要とすることで、折刃の発生に関係する現場の使用者にも安全な廃棄の意識を高めることができる。
【図面の簡単な説明】
【００１９】
【図１】本発明の一実施形態に係るエビデンス形跡管理枠台紙の正面図。
【図２】同上背面図。
【図３】本発明の一実施形態に係るエビデンス形跡管理台紙の概略説明図。
【図４】本発明の一実施形態に係るエビデンス形跡管理ホルダーの概略使用説明図。
【図５】本発明の使用状態図。
【図６】本発明の他の実施形態に係るエビデンス形跡管理ホルダーの粘着部の概略説明図。
【図７】本発明の他の実施形態に係るエビデンス形跡管理ホルダーの粘着部の概略説明図。
【図８−１】本発明の他の実施形態に係るエビデンス形跡管理ホルダー回収システムの概略説明図
【図８−２】本発明の他の実施形態に係るエビデンス形跡管理ホルダー回収システムの概略説明図
【図９】本発明の他の実施形態に係るエビデンス形跡管理ホルダーの概略説明図
【図１０】本発明の他の実施形態に係るエビデンス形跡管理ホルダーの粘着部概略説明図
【図１１】本発明の他の実施形態に係るエビデンス形跡管理の概略説明図
【発明を実施するための形態】
【実施例１】
【００２０】
本発明のホルダーについての実施例１を図１−４及び図１０に基づいて説明する。図１はカッターナイフ折刃を折る時に使用する枠台紙１を示している。２は粘着シートである。この粘着シートはブレードの折刃をしっかりと保持できる程度の強粘着及び再剥離可能シート〔温度：23 ℃  被着体：ステンレス板  両面テープを接着し180度逆さにした場合の落下測定で16.0 N/20 mm程度〕を用いる。 
粘着シートは横方向に多数段設けられている。粘着シートの横方向の長さはカッターブレードの全長より５ｍｍから１ｃｍ程度長くし、自然に生じる切り刃同士の隙間等にも対応可能とし、最終的に1本に含まれる複数の折刃が貼り付け可能なサイズとしている。同様に高さも折刃幅よりやや大きめとしている。なお枠台紙は折刃を保持し折刃の周囲を囲むものでもあるため厚さがある程度必要で少なくとも折刃の厚さ以上あることが望ましい。仮に粘着シートの粘着が何らかの事情で弱まった場合にも、刃は枠台紙に上下を仮保持される状態となる。
【００２１】
さらに、折刃つき道具の刃部分は作業がしやすいように斜め方向に角度が設けられているため、その角度にあわせ、左端及び右端は右斜め下方向への傾斜が設けられている。
また、粘着シートは表面にカバーシートが設けられており、未使用状態において、腕、上着等が接着しないように工夫している。粘着テープ下の台紙上には折れ刃の接着箇所を目視により確認する形状や番号を印刷しても良い。このようにすることで
１枚も残さず貼ることができ、紛失した場合にも即座に判明する。                                                                                
台紙、枠台紙の材料は厚紙、プラスチック、等どのようなものでも良いが、折刃が安全に処理できるためのものであり、また粘着シート上で刃を折る際力をかける関係上、その力に耐えうる程度の強度があれば十分である。段ボールであれば、3層構造で強度がEフルート段ボール程度が良い。またホルダー裏面に磁石等も添付しても良いことはもちろんである。鉄製のテーブルや機器のあるところでは、ホルダー全体を機器等に接着させておけば、刃を折る同動作においても固定される上、容易にどこかに落ちたり紛れ込んだりせず作業中の安全性を高めることができる。
【００２２】
粘着シートは強粘着のクラフトテープ程度の粘着力があれば、切り刃を保持できる。一方図３は台紙を示す。片面が枠台紙１と同等あるいはやや大き目で枠台紙１を貼り付け可能な台紙左半分４と連続して、処理情報を記載する台紙右半分５が連続して中折の状態で設けられている。
そしてこの５には、処理日付欄６や処理者の印鑑欄７が設けられている。切断時点で記入可能となっている。
この左台紙４にエビデンス形跡管理枠台紙１を貼り付け、場合によっては、図９の１０で示す透明フィルムを台紙左半分４と右半分５の間に設ける。このようにして図４に示すエビデンス形跡管理ホルダ９’や図９で示すエビデンス形跡管理ホルダ９が完成する。
【００２３】
このようなホルダーであれば、図５のように、使用済み刃先を次々と粘着シート上に乗せ、場合によっては図９記載の透明フィルム１０でカッターブレードをカバーした上から指先で押さえ少し力を加えることで刃が折れてその瞬間に粘着シート上に接着するため、折刃作業と処理後の保管ということが同時にできることになる。また、その時右側の情報記録部分図３の６，７に処理の日、作業者の印等を記載することで、記録の完成が図れる。
【００２４】
なお、作業者が左利きの場合には、枠台紙（図１の１）と情報記録部分（図３  ６．７）を逆に設けるのが使い勝手が良い。また粘着シートの斜め部分も刃面を作業者とは遠い方向に向けての作業とするかどうかによって逆方向の斜めに設けても良いことはもちろんである。
その他、本発明については、目的の範囲内において、種々の変更が可能となる。
【実施例２】
【００２５】
本発明のエビデンス形跡管理ホルダーについての実施例２を図１０に基づいて説明する。図１０はハンバーガー製造の調理場で用いる差し替え刃コテ（スパチュラ）の差し替え刃の処理状況を残すために本発明を使用する実施例について説明する。ハンバーガー用の肉を鉄板で焼き、その肉を鉄板から引き離す場合にコテを使用して肉を鉄板から引き離すが、そのときに使用するコテには先端に刃が差し替え式で設けられており、切れ味が悪くなるとこの刃１４を差し替え、新しい刃と取替え使用するのである。この使用済み刃の処理をきっちりしないと、危険物であるため問題であった。  また食品に万一こぼれた刃先が混入したような場合、保管されている差し替え済み刃を目視で点検するだけで、どの作業員がいつ取り替えた刃に刃こぼれが存在し、その形状と混入刃の形状を比較することで、そのコテから食品に混入したという形跡が管理できる。1ヶ月で刃こぼれが起きているような場合は、3週間で交換するなど、より安全な対策を立てることも可能となる。
【００２６】
本実施例において使用する台紙には差し替え刃の大きさがカバーできるような粘着シート１５を設けている。カッター刃よりは刃が大きく重さも重いため、刃の形状に合わせ、それらがしっかりと粘着力のある粘着シートに接着できるよう工夫をしている。また台紙に貼り付け方向も斜めではなく、刃の長さやコテの形状に合わせ上下方向に５−６枚差し替えてそのまま貼り付け可能としている。
【実施例３】
【００２７】
次に本発明のエビデンス形跡管理ホルダーについての実施例３を図６図７に基づいて説明する。図６図７は内装工事におけるクロス張り等の作業においても、大きめのカッターをクロス張り道具として使用している。この大カッターにも本発明は利用可能である。この場合は実施例１の発明とほぼ同様の仕様となるが、刃が大きいため、その刃の形状に合わせてホルダー内の枠台紙等の対応が必要となる。図６図７に示すように、刃の大きさに合わせた枠台紙を用いた点が異なる。
【実施例４】
【００２８】
次に本発明のエビデンス形跡管理ホルダーについての実施例４を図１１に基づいて説明する。図１１は一般的な押し出し式薬PTPパックであり、図に示すように服用
前に服用する薬をパックから切り取り、服用後に殻を台紙の粘着部１３に貼り付け
ることにより、服用エビデンスとして管理する。渡した薬の量に応じて個別の薬の殻を貼り付けることができるよう罫線が引かれ番号が振られているので、貼り付けるときにもわかりやすく、管理者や、医者、看護婦にとっても目視で飲んだ量や誤飲がないことが確認できるため、ブリスターパック管理として好ましい。
【実施例５】
【００２９】
次に本発明のエビデンス形跡管理回収システムについての実施例５を図８に基づいて説明する。ホルダーには予め個別番号を振っておく。図８−１はシステム全体の流れを示したものである。注文が入れば何番のホルダーがどの注文主に販売されたかをまず記録する（１０２）。次にホルダーが使用済みあるいは未使用がなくなった段階で次の注文が入る。注文と回収は同時に行い、回収ホルダーナンバーを記録において消しこみを行う（１０３）。そして回収ホルダーは刃と台紙部分に分別し、リサイクルに回すことになる。
次回注文が入った場合には、注文入力により回収残の照会をシステム内で行い（１０１）、未回収ホルダーの枚数を顧客に通知する（１０６）ことで、確実に回収がなされるようなシステムとなっている。一定期間内に消しこみができない場合には、問い合わせを購入業者に行う（１０６）ようにしても良い。そして回収できていない業者にはその点についての警告を行うとともに、それらが回収できるまで次の販売を中止する措置を取ることも可能である。さらに、食品等への刃先の混入などの問題が起きるのは刃の取替え作業から一定期間経過後であることも多いため、回収業者が一定期間保管し、形跡のエビデンスが後に必要となった場合に保管物から取り出し、刃先の目視による確認等にも利用可能である。注文主と予め回収ホルダーの保管期間等も決定の上、システム管理が可能となる。これらの作業はコンピューター等の電子機器を用いて行う。
【００３０】
以上は、回収に万全を期したシステムであるが、より簡略化し、図８−２に示すように廃棄の危険防止とリサイクルによる回収システムとしても良い。カッター刃やスパチュラのような危険物をごみとして捨てる場合もごみ収集における怪我を防止するため、より丁寧な廃棄作業が必要となるが、その手間をなくし、安全に処理できるシステムである販売と回収リサイクルを1つの業者が行うシステムである。リサイクルによって自社で使用する刃のような危険物が世の中に容易に出回らず、再利用による企業イメージの向上及び企業の社会的責任も果たせる。
このようなシステムであれば、廃棄におけるさまざまな危険に対応することが可能であり、しかも販売業者が使用業者の危険物の形跡の管理を担うことになるため、使用者だけで行っていた形跡管理がより確実な精度の高いものとなる。
危険な刃がリサイクルされることで、危険な刃先についての処理が安全にしかも再利用されることで社会に与える安心と安全効果は計り知れないものとなる。
【産業上の利用可能性】
【００３１】
以上説明したように、本発明は、簡単な構成によって使用済み危険物の保管が可能となるエビデンス形跡管理ホルダーが提供でき、作業効率の向上に著しく寄与できるため、産業上の利用可能性を有する。また処理日時及び処理者処理エビデンスが保管でき、折刃安全処理の記録を完全で目視可能な状態で残すことができる。折刃の回収まで管理できるシステムであれば、折刃廃棄の危険性も全くなくなり、安全案心度をさらに高めることができる。
【符号の説明】
【００３２】
１   エビデンスブレード形跡管理枠台紙 
２   粘着シート
３   エビデンスブレード形跡管理台紙
４    同  台紙左半分
５    同  台紙右半分(情報記録部分) 
６   折刃処理日付欄
７   折刃処理担当欄
８   処理済み刃
９９’ホルダー全体
１０  透明フィルム
１１  透明フィルム接着取り付け部
１２  薬取り出し後のPTPパック
１３  貼り付け部
１４  取り外したスパチュラ
１５  スパチュラ貼り付け部
【図１】
2018187782.tif 000003
【図２】
2018187782.tif 000004
【図３】
2018187782.tif 000005
【図４】
2018187782.tif 000006
【図５】
2018187782.tif 000007
【図６】
2018187782.tif 000008
【図７】
2018187782.tif 000009
【図８−１】
2018187782.tif 000010
【図８−２】
2018187782.tif 000011
【図９】
2018187782.tif 000012
【図１０】
2018187782.tif 000013
【図１１】
2018187782.tif 000014